(57)【要約】【課題】居宅介護状況把握システムを運用するに当たって、被介護者用記憶手段を被介護者宅外に持ち出すことを不可能にすること。【解決手段】対角線上の二隅にネジ穴１ａを開口し、各々に挿入する木ねじ１ｂを備えた基板部材１と、基板部材１の中央に立ち上げ、上部にロック孔２ａを開口した立柱２と、基板部材１を外装被覆する底部開放容器状のカバー部材３であって、上部中央に立柱２を貫通させ得るスリット状の柱貫通孔３ａを開口し、側部にカード型記憶手段５の係止孔５ａに挿通係止した保持紐６を貫通させ得る紐貫通孔３ｂを開口したカバー部材３と、その被覆状態をロックする南京錠４と、保持対象のカード型記憶手段５に結合し、立柱２に掛け渡しておくことができるようにした環状の保持紐６とで構成する。【選択図】図２
2007098030.tif 000002
【特許請求の範囲】
【請求項１】
被介護者宅の所望部位に固定するための固定手段を備えた基板部材と、
該基板部材に設けた立柱であって、その上部にロック孔を開口した立柱と、
上部に該立柱を貫通させ得る柱貫通孔を開口し、側部に、被介護者を特定する情報及びそのケアプランを保持した記憶手段に結合した保持紐を貫通させ得る紐貫通孔を開口したカバー部材であって、前記立柱の上部をそのロック孔が露出するまで該柱貫通孔に貫通させつつ前記基板部材の上部を被覆するカバー部材と、
該カバー部材を前記基板部材に被覆した状態で、前記立柱のロック孔に係合することにより、その被覆状態をロックするロック手段と、
前記記憶手段に結合した保持紐であって、前記カバー部材の側部に開口した紐貫通孔を通じて前記カバー部材の内側に進入させ、該カバー部材による前記基板部材の被覆前に前記立柱に係止しておくことができるようにした保持紐と、
で構成した記憶手段保持器。
【請求項２】
前記記憶手段がカード状に構成されたものである請求項１の記憶手段保持器。
【発明の詳細な説明】
【技術分野】
【０００１】
本発明は、本件発明者が提案した居宅介護状況把握システムに於いて被介護者宅に保管されるべき被介護者を特定する情報及び該被介護者のためのケアプランを保持する記憶手段を権限のない者によって被介護者宅から外部に持ち出されることがないように保持するための記憶手段保持器に関する。
【背景技術】
【０００２】
前記居宅介護状況把握システム（特許文献１）は、本件発明者が提案したものであり、その目的とするところは、介護提供者が証人のいない訪問先の被介護者に対して介護・支援を行う場合に、介護提供者の提供する介護サービスの提供時間をケアプランに従って過不足なく管理し、更にそうして現に提供したサービス時間及び介護提供者並びに被介護者を正確に把握すると共に、その記録を客観的かつ自動的に行うことである。
【０００３】
またその居宅介護状況把握システムは、被介護者宅に保管される被介護者用記憶手段と、介護提供者が携帯する携帯端末とで構成したものであり、該携帯端末は、日時信号発生手段と、報知信号発生手段と、情報読込手段と、情報記憶手段と、表示手段と、情報印刷手段と、データ授受手段とで構成したものである。
【０００４】
前記被介護者用記憶手段は、被介護者を特定するための情報、即ち、住所氏名等の情報や該被介護者のためのケアプランを保持する手段であり、前記のように、被介護者宅に保管しておくべきものである。
【０００５】
前記携帯端末の日時信号発生手段は、介護提供者が被介護者宅を訪問した際に、前記被介護者用記憶手段をこれにセットすることにより、その時点をサービス開始日時として取得し、かつその時点からケアプランに示された該当するサービスの提供予定時間の経過によって到達する時点をサービス終了日時として取得するための手段である。
【０００６】
前記報知信号発生手段は、該日時信号発生手段から取得したサービス終了日時を報知するための手段である。
【０００７】
前記情報読込手段は、前記被介護者用記憶手段をこれにセットした際にその保持する被介護者を特定する情報及びケアプランに於ける当日の担当介護支援内容を読み込むための手段である。
【０００８】
前記情報記憶手段は、前記介護提供者を特定する情報、前記被介護者用記憶手段のセット及び該セット時点からの時間の計測によって取得されたサービス開始日時・終了日時情報、並びに前記被介護者用記憶手段から読み込まれる前記被介護者を特定する情報及びケアプランに示された当日の担当介護支援内容の各々を関連付けて保存するための手段である。
【０００９】
前記表示手段は、前記ケアプランに於ける当日の担当介護支援内容その他の必要事項の表示を行う手段である。
【００１０】
前記情報印刷手段は、終了操作を行うことにより、介護提供者及び被介護者をそれぞれ特定する情報、サービス開始日時及び終了日時情報、並びに提供した介護支援内容に関する情報を印刷して出力するための手段である。
【００１１】
前記データ授受手段は、前記情報記憶手段に保存してある情報を外部とやり取りするための手段である。
【００１２】
前記のように、この居宅介護状況把握システムによれば、介護提供者が持参する携帯端末に被介護者宅に保管される被介護者用記憶手段をセットして初めて、介護提供者の介護サービスを提供すべき時間が開始し、その時点からサービスを提供する実時間が計測され、かつ開始時点が情報記憶手段に記録される。サービスの内容及びサービスを提供すべき時間は、被介護者用記憶手段から読み出され、該携帯端末に表示され、介護提供者はこれに従って該当する内容のサービスを定められた時間中に提供する。定められた時間の満了によって介護提供者によるサービスの提供は終了し、この終了は、該携帯端末から該被介護者用記憶手段を抜き取ることによって情報記憶手段に記録される。
【００１３】
被介護者用記憶手段は被介護者宅に保管すべきものであるから、これを抜き取らなければ、介護提供者は帰宅することができない。それ故、終了時間の到来と共に、介護提供者は該被介護者用記憶手段を該携帯端末より抜き取ることとなり、これによってサービスの提供の実時間が正確に記録されることになる。また該被介護者用記憶手段を抜き取ると、情報印刷手段が動作を開始し、介護提供者氏名、サービス内容、サービス提供の開始時点及び終了時点等が印刷される。介護提供者はこれを被介護者宅に残して帰宅することになる。
【００１４】
こうして介護提供者が介護サービスを提供する実時間が正確かつ客観的に記録され、在宅介護現場に於ける高い透明性が確保され、介護保険制度上の信頼性の確保に資することができることになるものである。
【００１５】
具体的には、「現にサービスの提供に要した費用の額」要件を評価するために必要な情報を把握するという観点から、居宅介護現場に於ける介護提供者の実際の行動の内、サービス提供の時間の「客観的かつ正確な」記録及び管理を行い、これによって時間の面での介護サービス等の評価の基礎を否定できない「客観的な」事実に基づいて正確に把握できるようにしたものである。またこれを通じて、介護保険からの給付を確保すべく、ケアプラン（介護サービス計画）に従い、かつ被介護者の「支給限度基準額」に過不足なく正確に対応する介護支援サービスの提供を担保し得るようにしたものでもある。
【００１６】
更にはそのサービス時間情報に加えて、介護提供者及び被介護者を特定する情報並びにケアプラン内容に基づくサービス内容情報について、客観的な記録手段により介護提供者と被介護者間で共有できるようにし、更にそれらの両当事者の共有する全ての情報を他の関係者とも共有すべくそのまま報告可能にしたことにより、その人手による記録作業を省き、かつ介護サービスに関する正確な報告を可能としたものでもある。
【００１７】
【特許文献１】特開２００３−２５６５７５号公報
【発明の開示】
【発明が解決しようとする課題】
【００１８】
前記居宅介護状況把握システムによれば、前記のように、介護提供者が持参する携帯端末に被介護者宅に保管されている被介護者用記憶手段をセットして初めて、介護提供者の介護サービスを提供すべき時間が開始し、その時間がサービスを提供する実時間として計測され、記録されるわけである。従ってこのシステムが信頼性あるものとして機能するためには、被介護者用記憶手段が、確実に被介護者宅に保管され、介護提供者が被介護者宅を訪問しなければ、これをセットすることができず、サービス提供時間を開始することができないことが保証されていなければならない。
【００１９】
本発明は、前記居宅介護状況把握システムを運用するに当たって、その信頼性を、被介護者用記憶手段を介護提供者が持ち帰るようなことはない、との個人の善意に期待して確保するのではなく、物理的にそれを不可能にすることにより確保しようとするものであり、これを解決の課題とするものである。
【課題を解決するための手段】
【００２０】
本発明の１は、被介護者宅の所望部位に固定するための固定手段を備えた基板部材と、
該基板部材に設けた立柱であって、その上部にロック孔を開口した立柱と、
上部に該立柱を貫通させ得る柱貫通孔を開口し、側部に、被介護者を特定する情報及びそのケアプランを保持した記憶手段に結合した保持紐を貫通させ得る紐貫通孔を開口したカバー部材であって、前記立柱の上部をそのロック孔が露出するまで該柱貫通孔に貫通させつつ前記基板部材の上部を被覆するカバー部材と、
該カバー部材を前記基板部材に被覆した状態で、前記立柱のロック孔に係合することにより、その被覆状態をロックするロック手段と、
前記記憶手段に結合した保持紐であって、前記カバー部材の側部に開口した紐貫通孔を通じて前記カバー部材の内側に進入させ、該カバー部材による前記基板部材の被覆前に前記立柱に係止しておくことができるようにした保持紐と、
で構成した記憶手段保持器である。
【００２１】
本発明の２は、本発明の１の記憶手段保持器に於いて、前記記憶手段としてカード状に構成されたものを採用したものである。
【発明の効果】
【００２２】
本発明の１の記憶手段保持器によれば、所定の手順で、記憶手段に結合してある保持紐を、前記カバー部材の紐貫通孔を通じて、該カバー部材及び基板部材によって閉じられた空間内に導き、該基板部材から立ち上がる立柱に掛け渡して置き、かつ該カバー部材の該基板部材に対する被覆状態を、前記ロック手段を該カバー部材から露出した立柱上部のロック孔に係止することにより、ロックして、前記記憶手段を、いずれかの部位に固定した記憶手段保持器に保持させておくことができる。
【００２３】
これにより、該記憶手段は、通常、該記憶手段保持器の近傍では介護提供者の持参する携帯端末にセットして所定の用法に従ってこれを利用することが可能であるが、結合してある保持紐の長さの範囲を越える別な位置で使用することはできない。それ故、前記したように、前記居宅介護状況把握システムを運用する際に、介護提供者が、その被介護者用記憶手段を該被介護者宅内でのみ使用できるようにするのに極めて有用である。他方、ケアマネージャ（居宅介護支援事業者）がロック手段を解除し、或いは施錠するためのキーを保管するものとすれば、該記憶手段の保持するケアプラン等の内容を書き換える際には、該キーを使用して該ロック手段のロックを解除することにより、該記憶手段を自由に移動させることが可能であり、必要な書換を自由に行うことができることになる。
【００２４】
従って前記居宅介護状況把握システムを運用する際にこの記憶手段保持器を使用することとした場合は、被介護者宅を間違いなく訪問した介護提供者のみが、訪問時にその持参する携帯端末に被介護者宅で該記憶手段保持器で保持されている記憶手段をセットすることが可能であり、前記したように、そのサービス開始時刻から終了時刻までのサービス提供時間を正確に計測し、かつ記録することができることになる。それ故、サービスの提供量とこれに対する対価との対応関係が確かなものとなり、市場で流通する商品（物又は役務）の給付を目的とする業務上の取引行為又は証明行為については、法定計量単位を用いて「適正な計量の実施を確保」しなければならないと定める計量法の趣旨にも合致し、かつ介護保険制度の信頼性を高めることができることにもなる。
【００２５】
本発明の２の記憶手段保持器によれば、前記記憶手段がカード型であり、取扱が容易なものとなる。
【発明を実施するための最良の形態】
【００２６】
本発明の記憶手段保持器は、基板部材と、該基板部材に設けた立柱と、該基板部材を被覆するカバー部材と、該カバー部材を被覆状態でロックするロック手段と、保持対象の記憶手段に結合し、前記立柱に掛け渡しておくことができるようにした保持紐とで構成したものである。
【００２７】
前記基板部材は、前記立柱をその上面から立ち上げ固定するための部材であり、かつこれを含む記憶手段保持器を、対象となる記憶手段を保管すべき領域のいずれかの部位に固定する場合のベースとなる部材である。従って平面から見て円形又は角形の板材で構成するのが適当である。材質は必要な強度、即ち、人力によっては容易に破壊されない程度の強度を確保できるものであれば、特定のそれに限定されない。この基板部材は、上記のように、記憶手段を保管すべき領域のいずれかの部位に固定するための固定手段を備えるべきものである。
【００２８】
該固定手段は、どのような部位に固定するかによって適切なそれを自由に選択することができる。例えば、建物や家具の木製の部位に固定する場合は、該基板部材の適宜位置に開口したネジ穴と、該ネジ穴を通じて対象部位に固定するための木ねじ等で構成することができる。該ネジ穴を含む固定手段は、その少なくとも固定の解除操作を行うことができる部位を前記カバー部材で被覆される領域内に構成するべきである。
【００２９】
前記立柱は、前記のように、前記基板部材に立ち上げ固定するものであるが、更にその上部にはロック孔を開口したものである。前記基板部材のどの位置から立ち上げるかは限定されないが、中央付近から立ち上げるのが適当である。また該立柱の構成も、後記の役割を担当できる限り、特定のそれに限定されない。例えば、円柱状、角柱状、或いは板柱状に構成することができる。いずれにしても前記ロック孔を上部に開口している必要があるのは云うまでもない。該ロック孔は横向きに開口し、前記施錠具で施錠可能な開口寸法等を有している必要がある。該立柱を構成する材質は特定のそれに限定されないが、人力によって容易に破壊されない強度を有するものである必要はある。
【００３０】
前記カバー部材は、これにより前記基板部材の上方を被覆し、該カバー部材と該基板部材とで閉じた空間を形成し、該基板部材から立ち上がる立柱のロック孔より下方の部位及び前記固定手段の固定解除操作を行うことができる部位を、その閉じた空間内に位置させることができるように構成したものである。該カバー部材は、該基板部材の平面形状に対応する平面形状を有する底部開放の容器状部材であり、上部には前記立柱を貫通させ得る柱貫通孔を開口し、側部に、記憶手段に結合した保持紐を貫通させ得る紐貫通孔を開口した部材である。該カバー部材の深さは、前記したところから理解されるように、該基板部材に該カバー部材を被覆した場合に、該立柱の上部をそのロック孔が露出するまで該柱貫通孔に貫通させることのできる程度とする。なお、該記憶手段は、被介護者を特定する情報及びそのケアプランを保持したものである。
【００３１】
前記カバー部材の材質は、以上の基板部材等の他の部材と同様に、必要な強度、即ち、人力によっては容易に破壊されない程度の強度を確保できるものであれば、特定のそれに限定されない。例えば、以上の条件を満足すれば、成形の容易なプラスチック類を採用することもできる。
【００３２】
前記ロック手段は、該カバー部材を前記基板部材に被覆した状態で、前記立柱のロック孔に係合することにより、その被覆状態をロックすることのできる手段であり、そのように使用できるものである限り特定の構成に限定されない。例えば、南京錠等をロック手段として採用することができる。解錠手段はケアマネージャが持つべきものである。
【００３３】
前記保持紐は、前記記憶手段に結合した状態で、前記カバー部材の側部に開口した紐貫通孔を通じてその内側に進入させ、該カバー部材による前記基板部材の被覆前に前記立柱に係止しておくべく使用するものである。人力によって容易に断裂する等のことのない十分な強さを持ったものである必要がある。
【００３４】
該保持紐は、以上のような目的を達成できるものであれば、種々の構成のそれを自由に採用することができる。例えば、該保持紐は環状に構成するものとし、これを、環状に閉じる前に前記記憶手段の一部に開口したロック孔に貫通させておき、その後、前記カバー部材の紐貫通孔を通じてその内側に延長した上で、前記立柱に係止する、この場合は、掛け渡しておくこととするのが良い。該立柱に掛け渡す部分には、抜け止め片を配しておくのが好ましい。
【００３５】
前記保持対象の記憶手段は、前記居宅介護状況把握システムで使用する被介護者用記憶手段であり、被介護者を特定するための情報、即ち、その住所・氏名等の情報や該被介護者のためのケアプランを保持する手段である。前記のように、被介護者宅に保管しておくべきものであり、少なくとも介護提供者によって持ち出されてはならないものである。
【００３６】
該記憶手段は、形態的には、特定のそれに限定する理由はなく、前記携帯端末に配されコネクタとの関係で、適合する電気的結合手段を備えたそれを採用する。通常標準化され、汎用されているコネクタを採用し、これに結合しうる電気的結合手段を備えた汎用のカード型記憶手段が適当である。もっとも、前記保持紐との物理的結合のためのロック孔を作成しがたい場合は、そのケース部の全部又は一部を新たに構成することとする。
【００３７】
従って本発明の記憶手段保持器によれば、次のように、容易かつ確実に記憶手段を所定の領域内に保持しておくように使用することができる。
【００３８】
まず前記基板部材を被介護者宅の所望の部位に固定しておく。部屋内の不都合でない横架材等に固定手段を用いて固定する。固定手段が基板部材に開口したネジ穴と木ねじで構成したものである場合は、これを用いて木製の横架材等に固定する。
【００３９】
次いで、記憶手段に結合してある保持紐を、前記カバー部材の紐貫通孔を通じて、該カバー部材の内側に引き込み、該カバー部材を前記基板部材に被覆する前に、該基板部材から立ち上がる立柱に係止しておくものとする。該保持紐を環状に構成した場合は、これを該立柱に掛け渡せば良い。
【００４０】
この後、該カバー部材を該基板部材に被覆する。このとき、該カバー部材の柱貫通孔に該基板部材から立ち上がる立柱の上部を貫通させ、こうして該カバー部材の上部に露出することとなった該立柱上部のロック孔にロック手段を係止させてロックし、該カバー部材による該基板部材に対する被覆状態をロックする。ロック手段として南京錠を採用した場合は、その係止環部を該ロック孔に貫通させた上で、環状に固定し、ロックさせる。
【００４１】
こうして前記記憶手段を被介護者宅の前記の部位から一定の範囲内の外に移動しないように固定保持しておくことができることになる。従って、これにより、該記憶手段は、通常、該記憶手段保持器の近傍では介護提供者の持参する携帯端末にセットして所定の用法に従ってこれを利用することが可能であるが、結合してある保持紐の長さの範囲を越える別な位置で使用することはできない。それ故、前記したように、前記居宅介護状況把握システムを運用する際に、介護提供者が、その記憶手段を該被介護者宅内でのみ使用できるようにするのに極めて有用である。
【００４２】
他方、ケアマネージャがロック手段を解錠し、或いは施錠するための手段を保持するものとすれば、該記憶手段の保持するケアプラン等の内容を書き換える際には、該手段を使用して該ロック手段のロックを解錠することにより、該記憶手段を自由に移動させることが可能であり、必要な書換を自由に行うことができることになる。
【００４３】
それ故、前記居宅介護状況把握システムを運用する際にこの記憶手段保持器を使用することとした場合は、被介護者宅を間違いなく訪問した介護提供者のみが、訪問時にその持参する携帯端末に被介護者宅で該記憶手段保持器で保持されている記憶手段をセットすることが可能であり、前記したように、そのサービス開始時刻から終了時刻までのサービス提供時間を正確に計測し、かつ記録することができることになる。こうして介護保険制度の信頼性を高めることができることになる。
【実施例】
【００４４】
この実施例の記憶手段保持器は、図１及び図２に示すように、基板部材１と、該基板部材１に立ち上げた立柱２と、該基板部材１を被覆するカバー部材３と、その被覆状態をロックする南京錠（ロック手段）４と、保持対象のカード型記憶手段５に結合し、前記立柱２に掛け渡しておくことができるようにした保持紐６とで構成したものである。
【００４５】
前記基板部材１は、図１及び図２に示すように、平面から見て正方形のプラスチック板材で構成したものであり、その四隅の内、対角となる二つの隅部に固定手段の一部を構成するネジ穴１ａ、１ａを開口し、該各ネジ穴１ａ、１ａに固定手段の他の一部を構成する木ねじ１ｂを挿入しておき、更に該基板部材１の中央には前記立柱２を立設しておくものとする。
【００４６】
前記立柱２は、図１に示すように、その上部にロック孔２ａを開口した板柱状に構成し、前記基板部材１と同一のプラスチック材で一体に構成する。なお上記ロック孔２ａは、後述するように、該基板部材１に前記カバー部材３を被覆した場合に、該カバー部材３の柱貫通孔３ａを通じてその上方に突出する該立柱２の上部に位置するように、その位置関係を設定する。また該ロック孔２ａの径は、前記南京錠４の係止環部４ａが貫通可能な寸法とする。
【００４７】
前記カバー部材３は、図１及び図２に示すように、平面から見て前記基板部材１の平面形状に対応する正方形をなす底部開放の容器状部材であり、上部中央には前記立柱２を貫通させ得るスリット状の柱貫通孔３ａを開口し、側部には、前記カード型記憶手段５の係止孔５ａに挿通係止した保持紐６を貫通させ得る紐貫通孔３ｂを開口してある。
【００４８】
前記カバー部材３は、図２に示すように、その下部開口部が、前記基板部材１を密着状態で外装被覆し得る開口寸法を有し、その深さは、前記し、かつ同図に示すように、前記基板部材１に該カバー部材３を外装被覆した場合に、前記立柱２の上部をそのロック孔２ａが露出するまで該柱貫通孔３ｂに貫通させることのできる程度とする。なお該カバー部材３は透明のプラスチック材を用いた。
【００４９】
前記南京錠４は、適合するサイズの一般的なそれを採用したものであり、前記カバー部材３を前記基板部材１に外装被覆した状態で、図２に示すように、前記立柱２のロック孔２ａにその係止環部４ａを挿通係合することにより、その被覆状態をロックするように使用するものである。該係止環部４ａは、アンロック状態でその一方の端部を回動させ、他方の端部側を錠本体から外れた位置に移動させ、そうした上で、該係止環部４ａを前記ロック孔２ａに挿通させ、その後また該当する端部を錠本体上の対応する位置まで戻して、キー操作により施錠すれば、ロック状態となるのは云うまでもない。解錠動作はこれと逆の操作をすれば良いのも云うまでもない。
【００５０】
前記南京錠４の施錠及び解錠の手段であるキーは、ケアマネージャが保管すべきものである。
【００５１】
前記保持紐６は、合成繊維製で環状に構成した紐材であり、図１及び図２に示すように、前記カード型記憶手段５の係止孔５ａを貫通させて、これを係止したものである。この状態でこの保持紐６は、前記カバー部材３の側部に開口した紐貫通孔３ｂを通じてその内側に進入させ、該カバー部材３で前記基板部材１を外装被覆する前に、前記立柱２に掛け渡すべく使用する。該保持紐６は、同図に示すように、各々その両端を抜け止め片６ａの結合孔６ａ１、６ａ１を貫通させて結束するものとし、この抜け止め片６ａを用いた結束部位の直前で、前記のように、前記立柱２に掛け渡すものとする。
【００５２】
前記カード型記憶手段５は、前記居宅介護状況把握システムで使用する被介護者用記憶手段であり、被介護者を特定するための情報、即ち、その住所・氏名等の情報や該被介護者のためのケアプランを保持する手段である。該カード型記憶手段５は、図１及び図２に示すように、その一部に係止孔５ａを開口したものである。
【００５３】
該カード型記憶手段５は、介護提供者の携帯する携帯端末に配されコネクタに適合する電気的結合手段を備えている。
【００５４】
なお前記携帯端末は、先に説明した本件発明者の提案に係る居宅介護状況把握システムで用いるそれであり、前記した機能を具えたものである。
【００５５】
従ってこの実施例の記憶手段保持器によれば、次のように、容易かつ確実にカード型記憶手段５を被介護者宅の所定の領域内に保持しておくように使用することができる。
【００５６】
まず前記基板部材１を被介護者宅の所望の部位に固定しておく。部屋内の不都合でない木製の横架材等に該基板部材１を配置し、前記ネジ穴１ａ、１ａを通じて前記木ねじ１ｂ、１ｂを挿入し、これらを該横架材にねじ込んで取り付けておく。
【００５７】
次いで、図１に示すように、カード型記憶手段５の係止孔５ａに挿通係止してある保持紐６を前記カバー部材３の紐貫通孔３ｂを通じてその内側に引き込み、該カバー部材３を前記基板部材１に外装被覆する前に、該基板部材１から立ち上がる立柱２に掛け渡しておくものとする。
【００５８】
この後、図２に示すように、該カバー部材３を該基板部材１に外装被覆する。このとき該カバー部材３の上部に開口してある柱貫通孔３ａに該基板部材１から立ち上がる立柱２の上部を貫通させ、該立柱２上部のロック孔２ａを該カバー部材３の上部に露出状態にする。該立柱２上部のロック孔２ａには、前記南京錠４の係止環部４ａを挿通させて、該カバー部材３の該基板部材１に対する外装被覆状態をロックする。
【００５９】
該係止環部４ａは、アンロック状態でその一方の端部を回動させ、他方の端部側を錠本体から外れた位置に移動させ、そうした上で、該係止環部４ａを前記ロック孔２ａに挿通させ、その後また該当する端部を錠本体上の対応する位置まで戻して、キー操作により施錠すれば、ロック状態となる。なお解錠動作はこれと逆の操作をすれば良いのは云うまでもない。
【００６０】
こうして前記カード型記憶手段５を被介護者宅の前記固定部位から一定の範囲内の外に移動しないように固定保持しておくことができることになる。保持紐６は、前記基板部材１と前記カバー部材３とで囲まれた空間の中で前記立柱２に掛け渡されており、該カバー部材３を取り外さない限り、該立柱２から外れることはない。それ故、該保持紐６に係止したカード型記憶手段５をその長さの範囲を越えて移動させることはできない。また基板部材１を前記横架材に固定する木ねじ１ｂ、１ｂもその頭部は前記基板部材１と前記カバー部材３とで囲まれた空間の中に位置しているものであり、該カバー部材３を取り外さない限り、取り外すことはできない。
【００６１】
従って、これにより、該カード型記憶手段５は、通常、該記憶手段保持器の近傍では介護提供者の持参する携帯端末にセットして所定の用法に従ってこれを利用することは可能であるが、結合してある保持紐５の長さの範囲を越える別な位置で使用することはできない。それ故、前記したように、前記居宅介護状況把握システムを運用する際に、介護提供者は、そのカード型記憶手段５を該被介護者宅内でしか使用することができない。
【００６２】
他方、ケアマネージャが前記南京錠４のキーを保持することとすることにより、該カード型記憶手段５の保持するケアプラン等の内容を書き換える際には、該キーを使用して該南京錠４を解錠し、前記カバー部材３を前記基板部材１から取り外すとともに、前記保持紐６を前記立柱２から外すこととすれば、該カード型記憶手段５を自由に移動させることが可能となり、必要な書換を自由に行うことができることになる。
【００６３】
従って、前記居宅介護状況把握システムを運用する際にこの実施例の記憶手段保持器を使用することとすれば、被介護者宅を間違いなく訪問した介護提供者のみが、訪問時にその持参する携帯端末に被介護者宅で該記憶手段保持器で保持されているカード型記憶手段５をセットすることが可能であり、前記したように、そのサービス開始時刻から終了時刻までのサービス提供時間を正確に計測し、かつ記録することができることになる。こうして介護保険制度の信頼性を高めることができることになる。
【図面の簡単な説明】
【００６４】
【図１】カバー部材を基板部材に外装被覆していない状態の実施例の記憶手段保持器の概略斜視図。
【図２】カバー部材を基板部材に外装被覆した状態の実施例の記憶手段保持器の概略断面図。
【符号の説明】
【００６５】
１    基板部材
１ａ  ネジ穴
１ｂ  木ねじ
２    立柱
２ａ  ロック孔
３    カバー部材
３ａ  柱貫通孔
３ｂ  紐貫通孔
４    南京錠（ロック手段）
４ａ  係止環部
５    カード型記憶手段
５ａ  係止孔
６    保持紐
６ａ  抜け止め片
６ａ１  結合孔
【図１】
2007098030.tif 000003
【図２】
2007098030.tif 000004